(57)【特許請求の範囲】
【請求項１】
湯水流路として、追焚き湯水流出路および気泡湯水流出路を内部に形成しているアダプタ本体部と、
外部から供給されてきた湯水を前記追焚き湯水流出路および前記気泡湯水流出路の一方に選択的に流れさせる湯水流路切替え動作を行なうための操作部材およびこの操作部材の移動に対応して前記アダプタ本体部の前後方向に変位する弁軸ならびに弁体を有する湯水流路切替え機構と、
を備えており、
前記操作部材は、前記アダプタ本体部の前面側に配されて、前記前後方向に対する交差方向に移動可能であり、かつ前記操作部材の前向き面には、前記弁軸に設けられた軸受け部が前記アダプタ本体部の後方側へのバネ力を伴って当接するガイド面が設けられており、
このガイド面は、前記操作部材の移動方向における第１の端部側よりも第２の端部側の方が前記前後方向における高さが高くなるように傾斜しており、
前記操作部材が前記交差方向に移動させられて、前記軸受け部が前記ガイド面の前記第１および第２の端部のそれぞれに対応する箇所に相対移動することにより、前記湯水流路切替え動作が行なわれるように構成されている、気泡発生機能付き循環アダプタであって、
前記ガイド面は、前記第１の端部の領域が前記アダプタ本体部の後方側に向けて窪んだ凹状部として形成され、かつこの凹状部の縁部と前記第２の端部との間の領域に傾斜面が形成された構成とされていることを特徴とする、気泡発生機能付き循環アダプタ。
【請求項２】
請求項１に記載の気泡発生機能付き循環アダプタであって、
前記ガイド面の前記傾斜面は、前記第２の端部寄り領域の方が、前記第１の端部寄り領域よりも傾斜勾配が小さい構成とされている、気泡発生機能付き循環アダプタ。
【請求項３】
請求項１または２に記載の気泡発生機能付き循環アダプタであって、
前記操作部材には、前記操作部材の移動方向に沿った形状の長孔が形成され、かつこの長孔の短手方向の両側縁部のそれぞれが、前記ガイド面としての第１および第２のガイド面とされており、
前記軸受け部は、前記弁軸とは別体の部材が前記弁軸に回転可能に外嵌され、かつ前記弁軸の軸長方向の移動が規制された構成とされているとともに、前記ガイド面に当接する先端面は、一部球面状または一部円錐面状に形成されており、
前記第１および第２のガイド面は、前記第１の端部寄り領域における前記傾斜面の開始点が互いに位置ずれした構成とされている、気泡発生機能付き循環アダプタ。
【請求項４】
請求項１ないし３のいずれかに記載の気泡発生機能付き循環アダプタであって、
前記アダプタ本体部には、前記操作部材の少なくとも一部分を嵌入させて前記操作部材を前記交差方向にスライドガイドするためのガイド用凹部が設けられており、
前記操作部材には、前記ガイド用凹部の内側壁面に対して弾発力をもって接触または接近する弾性変形可能部が設けられており、
前記ガイド用凹部の内側壁面および前記弾性変形可能部には、前記軸受け部が前記ガイド面の前記第１および第２の端部のそれぞれに対応する箇所に相対移動したときに、前記操作部材の位置決め保持が図られるように互いに係合する係合用凸部および係合用凹部が設けられている、気泡発生機能付き循環アダプタ。
【発明の詳細な説明】
【技術分野】
【０００１】
本発明は、浴槽に設置されて風呂追い焚き用の湯水循環などに用いられるとともに、気泡を含む噴出水流を浴槽内に噴出させる機能を兼備している気泡発生機能付き循環アダプタに関する。
気泡を含む噴出水流は、たとえば入浴者に対する身体温浴効果（微細な気泡が身体表面を擦りつつ、当該表面で弾け続けることで身体に対する温熱効果を高め得るといった効果）を生じさせる。
【背景技術】
【０００２】
本出願人は、気泡発生機能付き循環アダプタの一例として、特許文献１に記載のものを先に提案している。
同文献に記載の循環アダプタにおいては、アダプタ本体部の内部に、追焚き湯水流出路に加えて、気泡湯水流出路を形成している。前者は、通常の風呂追い焚き時において、給湯装置によって加熱された湯水を浴槽に流出させるための湯水流路であり、後者は、気泡を含む噴出水流を浴槽に噴出可能とする湯水流路である。前記循環アダプタには、給湯装置から供給されてきた湯水を、追焚き湯水流出路および気泡湯水流出路のいずれか一方に選択的に流れさせることを可能とする湯水流路切替え機構が設けられている。この湯水流路切替え機構は、入浴者が手動で操作する操作部材、この操作部材の移動操作に対応して変位する弁軸および弁体を備えている。
【０００３】
前記操作部材は、弁軸および弁体をアダプタ本体部の前後方向に変位させるためのカム（カム板）としての役割を果たすものであり、その基本的な機構は、図９に示すような構造である。
同図において、操作部材８は、カム面として機能する傾斜状（傾斜角α）のガイド面８４を有しており、このガイド面８４に対して、弁軸９０に固定された軸受け部９１が当接可能とされている。軸受け部９１は、バネ９２の弾発力によってガイド面８４に接触する方向に付勢されている。操作部材８を同図のＤ１方向に移動させることにより、弁軸９０および弁体９３，９４を、Ｄ１方向とは交差するＤ２方向に変位させることが可能である。
【０００４】
しかしながら、前記従来技術においては、次に述べるように、未だ改善すべき余地があった。
すなわち、操作部材８の移動は、ユーザが手動で行なわせるようにされている。一方、操作部材８は、浴槽の比較的低い高さにあり、しかも湯に浸った位置にあるため、決して操作し易い位置にあるとは言えない。このため、操作部材８の操作性を、より良好なものにすることが望まれる。従来においては、操作部材８の移動操作量を少なくすべくガイド面８４の傾斜角αを大きくすると、操作部材８の操作が重くなる。これを解消すべく、傾斜角αを小さくした場合には、操作部材８のＤ１方向への移動操作量を大きくしなければならず、やはり操作性はさほどよくない。
【先行技術文献】
【特許文献】
【０００５】
【特許文献１】特開２０１０−９６３８５号公報
【発明の概要】
【発明が解決しようとする課題】
【０００６】
本発明は、前記したような事情のもとで考え出されたものであり、外部から供給されて
きた湯水を追焚き湯水流出路および気泡湯水流出路の一方に選択的に流れさせるための切替え操作性を良好にすることが可能な気泡発生機能付き循環アダプタを提供することを、その課題としている。
【課題を解決するための手段】
【０００７】
上記の課題を解決するため、本発明では、次の技術的手段を講じている。
【０００８】
本発明により提供される気泡発生機能付き循環アダプタは、湯水流路として、追焚き湯水流出路および気泡湯水流出路を内部に形成しているアダプタ本体部と、外部から供給されてきた湯水を前記追焚き湯水流出路および前記気泡湯水流出路の一方に選択的に流れさせる湯水流路切替え動作を行なうための操作部材およびこの操作部材の移動に対応して前記アダプタ本体部の前後方向に変位する弁軸ならびに弁体を有する湯水流路切替え機構と、を備えており、前記操作部材は、前記アダプタ本体部の前面側に配されて、前記前後方向に対する交差方向に移動可能であり、かつ前記操作部材の前向き面には、前記弁軸に設けられた軸受け部が前記アダプタ本体部の後方側へのバネ力を伴って当接するガイド面が設けられており、このガイド面は、前記操作部材の移動方向における第１の端部側よりも第２の端部側の方が前記前後方向における高さが高くなるように傾斜しており、前記操作部材が前記交差方向に移動させられて、前記軸受け部が前記ガイド面の前記第１および第２の端部のそれぞれに対応する箇所に相対移動することにより、前記湯水流路切替え動作が行なわれるように構成されている、気泡発生機能付き循環アダプタであって、前記ガイド面は、前記第１の端部の領域が前記アダプタ本体部の後方側に向けて窪んだ凹状部として形成され、かつこの凹状部の縁部と前記第２の端部との間の領域に傾斜面が形成された構成とされていることを特徴としている。
【０００９】
このような構成によれば、次のような効果が得られる。
すなわち、ガイド面の第１の端部の領域に凹状部が設けられているために、ガイド面の第１の端部と第２の端部との高低差を大きくとることができる。このため、前記凹状部の縁部と第２の端部との間の領域に形成される傾斜面の勾配を小さくすることが可能となる。したがって、弁軸の軸受け部を前記傾斜面に当接させて移動する際の操作が軽くなり、円滑となる。このようなことから、本発明によれば、ガイド面の一部に凹状部を形成するという簡易な構造を採用しながらも、外部から供給されてきた湯水を追焚き湯水流出路および気泡湯水流出路の一方に選択的に流れさせるように切替える際の操作性を、従来よりも良好にすることができる利点が得られる。
【００１０】
本発明において、好ましくは、前記ガイド面の前記傾斜面は、前記第２の端部寄り領域の方が、前記第１の端部寄り領域よりも傾斜勾配が小さい構成とされている。
【００１１】
このような構成によれば、次のような効果が得られる。
すなわち、弁軸の軸受け部をガイド面の第１の端部側から第２の端部側に相対移動させる場合、この動作は、軸受け部に作用しているバネ力（アダプタ本体部の後方側へのバネ力）に抗して行なわれる。このため、軸受け部がガイド面の第２の端部寄り領域に進むほど前記バネ力は強くなり、操作部材を操作する際の大きな抵抗となる虞がある。これに対し、ガイド面の傾斜面が前記した構成のような勾配であれば、軸受け部がガイド面の第２の端部寄りに進んだ場合の摺動抵抗を小さくでき、軸受け部が第２の端部寄りに進んだときに操作部材の操作が重くなる現象を緩和することができる。
【００１２】
本発明において、好ましくは、前記操作部材には、前記操作部材の移動方向に沿った形状の長孔が形成され、かつこの長孔の短手方向の両側縁部のそれぞれが、前記ガイド面としての第１および第２のガイド面とされており、前記軸受け部は、前記弁軸とは別体の部材が前記弁軸に回転可能に外嵌され、かつ前記弁軸の軸長方向の移動が規制された構成と
されているとともに、前記ガイド面に当接する先端面は、一部球面状または一部円錐面状に形成されており、前記第１および第２のガイド面は、前記第１の端部寄り領域における前記傾斜面の開始点が互いに位置ずれした構成とされている。
【００１３】
このような構成によれば、弁軸の軸受け部が第１および第２のガイド面の第１の端部寄り領域を通過する場合において、傾斜面の開始点に順次当接することによって、前記軸受け部を弁軸周りに回転させることが可能となる。たとえば、軸受け部がそのような回転を行なうことなく、操作部材が多数回にわたって繰り返し操作された場合には、軸受け部の先端部に偏摩耗が生じ、この偏摩耗に起因して弁軸および弁体の動作精度が悪化する虞があるが、前記構成によれば、そのような虞を適切に防止することができる。
【００１４】
本発明において、好ましくは、前記アダプタ本体部には、前記操作部材の少なくとも一部分を嵌入させて前記操作部材を前記交差方向にスライドガイドするためのガイド用凹部が設けられており、前記操作部材には、前記ガイド用凹部の内側壁面に対して弾発力をもって接触または接近する弾性変形可能部が設けられており、前記ガイド用凹部の内側壁面および前記弾性変形可能部には、前記軸受け部が前記ガイド面の前記第１および第２の端部のそれぞれに対応する箇所に相対移動したときに、前記操作部材の位置決め保持が図られるように互いに係合する係合用凸部および係合用凹部が設けられている。
【００１５】
このような構成によれば、軸受け部が前記ガイド面の前記第１および第２の端部のそれぞれに対応する箇所に相対移動したときに、操作部材の位置決め保持を適切に図ることができ、操作部材が不用意に動く虞をなくす上で好ましい。係合用凸部および係合用凹部の一方が設けられる弾性変形可能部は、操作部材に設けられているが、このように操作部材に弾性変形可能部を設ける構造によれば、弾性変形可能部をアダプタ本体部の構成部材に設ける場合と比較して、その製造が容易であり、製造コストを廉価にする上でも好ましいものとなる。
【００１６】
本発明のその他の特徴および利点は、添付図面を参照して以下に行なう発明の実施の形態の説明から、より明らかになるであろう。
【図面の簡単な説明】
【００１７】
【図１】本発明に係る気泡発生機能付き循環アダプタの一例を示す斜視図である。
【図２】図１に示す循環アダプタの一使用例を示す概略説明図である。
【図３】（ａ），（ｂ）は、図１に示す循環アダプタの動作状態を示す概略断面図である。
【図４】（ａ）は、図３（ａ）のIVa−IVa要部断面図であり、（ｂ）は、図３（ｂ）のIVb−IVb要部断面図である。
【図５】図１に示す循環アダプタの操作部材の詳細を示す要部断面図である。
【図６】（ａ）は、図１に循環アダプタのカバー体を外した状態の概略正面断面図であり、（ｂ）は、（ａ）の要部拡大正面断面図である。
【図７】図６（ａ）の分解正面断面図である。
【図８】（ａ），（ｂ）は、本発明の他の例を示す要部平面断面図である。
【図９】（ａ），（ｂ）は、従来技術の一例を示す要部概略平面断面図である。
【発明を実施するための形態】
【００１８】
以下、本発明の好ましい実施の形態について、図面を参照して具体的に説明する。
【００１９】
図１に示す気泡発生機能付き循環アダプタＡは、図２に示すように、浴槽１の側壁部１０に取り付けられて用いられ、ガス給湯器などの給湯器２と往き管２０および戻り管２１を介して接続される。このことにより、循環アダプタＡを介して浴槽１への湯張り、およ
び浴槽１の湯水の追い焚き動作が可能である。また、前記追い焚き動作と同様な湯水の循環を行なうときには、浴槽１内に気泡を含む噴出水流を噴出することも可能とされている。
【００２０】
図３によく表われているように、循環アダプタＡは、追焚き湯水流出路７１および気泡湯水流出路７２を内部に形成しているアダプタ本体部５と、このアダプタ本体部５に組み付けられた湯水流路切替え機構Ｂとを備えている。
【００２１】
アダプタ本体部５は、図３においては単一部材として示されているが、複数のハウジング部材を組み合わせて構成されている。このアダプタ本体部５内には、湯水流路として、アダプタ本体部５の前面部の湯水用吸込口７０に吸い込まれた湯水を戻り管２１に導くための戻り流路７Ｂ、および往き管２０から湯水供給を受ける往き流路７Ａが設けられている。この往き流路７Ａは、追焚き湯水流出路７１と気泡湯水流出路７２とに分岐している。追焚き湯水流出路７１は、風呂追い焚き時に気泡を含まない通常の湯水流通を行なわせるための部位であり、その終端部は、アダプタ本体部５の前側周壁部に開口した湯水用の吐出口７１ａとなっている。
【００２２】
気泡湯水流出路７２は、湯水の旋回流を発生させるための旋回室７３を含み、その終端部は、アダプタ本体部５の前面部において開口した気泡湯水噴出用のノズル口７２ａとなっている。旋回室７３内にその周壁に設けられた開口部７４から湯水が流入すると、この湯水は旋回流となる。一方、旋回室７３の後部側には、空気用の流入口５５が設けられている。この流入口５５は、ハウジング５の後部側に設けられた空気導入口５５ａと連通しており、旋回室７３内の旋回流に起因する負圧の発生により、空気導入口５５ａから流入口５５および旋回室７３内への空気流入がなされる。このことにより、気液混合の旋回流が発生し、ノズル口７２ａからは微小な気泡を多く含む旋回流状態の噴出水流が噴出する。図３おいて、符号５６で示す部材は、ノズル口７２ａから噴出された噴出水流のうち、大きく拡がった部分の噴出水流を遮るためのものである。
【００２３】
湯水流路切替え機構Ｂは、弁軸６３に支持された弁体６１，６２、バネ６６、操作部材３、および弁軸６３に固定して取り付けられた軸受け部６４を備えている。弁軸６３および弁体６１，６２は、操作部材３の後述する操作に対応してアダプタ本体部５の前後方向（以下、単に「前後方向」という）に往復動可能である。この往復動により、弁体６１，６２は、弁座部５７，５８にそれぞれ接離し、図３（ａ）に示すように、追焚き湯水流出路７１の湯水流通を阻止しつつ、気泡湯水流出路７２の湯水流通を可能としてノズル口７２ａから気泡湯水が噴出する状態と、同図（ｂ）に示すように、気泡湯水流出路７２の湯水流通を阻止しつつ、追焚き湯水流出路７１の湯水流通を可能として吐出口７１ａからの通常の湯水吐出がなされる状態とが切替え設定可能である。
【００２４】
図６および図７に示すように、操作部材３は、メインボディ部３０、左右一対の弾性変形可能部３１、および操作レバー部３２が一体的に樹脂成形されたものである（なお、図６および図７は、図１に示すカバー体５９を取り外した状態での正面図である）。アダプタ本体部５の前面部には、正面視円弧状のガイド用凹部５３が設けられている。操作部材３のメインボディ部３０や弾性変形可能部３１は、このガイド用凹部５３に嵌入されており、操作レバー部３２を摘んで左右方向に力を加えることにより、操作部材３をガイド用凹部５３に沿った円弧軌跡でスライド移動させることが可能とされている。
【００２５】
操作部材３のメインボディ部３０には、弁軸６３が挿通する正面視円弧状の長孔３３が形成されている。この長孔３３の周縁部の前面部分（図６（ｂ）のクロスハッチング部分）は、軸受け部６４を前後動させるためのガイド面３４である。このガイド面３４の詳細については後述するが、図４に示すように、基本的には、このガイド面３４の長手方向の
第１の端部３４ａよりも第２の端部３４ｂの方が、高さＨ（前後方向の高さ）が高くなっている。ガイド面３４は、軸受け部６４を前後方向へ移動させるカム面としての役割を果たす。
【００２６】
より具体的には、図５によく表われているように、軸受け部６４は、弁軸６３とは別体の部材により構成されており、ガイド面３４に対向するように弁軸６３の前端寄り部分に回転可能に外嵌され、かつ止め輪６５を用いて弁軸６３に対する位置決めが図られている。軸受け部６４は、ガイド面３４に対向する先端面が、一部球面状または一部円錐面状とされた形態である。軸受け部６４は、図３に示したバネ６６の力Ｆによりガイド面３４に接近または接触する方向に付勢されている。弁軸６３は、前後方向に移動可能であるものの、これ以外の方向への移動は規制されている。
【００２７】
図４（ａ）に示すように、軸受け部６４がガイド面３４の第１の端部３４ａに対向する位置にある場合には、軸受け部６４および弁軸６３は、同図右側方向へ最も後退した位置にあり、図３（ａ）に示す気泡噴流の噴出可能状態が設定される。この場合、図５によく表われているように、軸受け部６４と第１の端部３４ａとの間に寸法Ｌ１の隙間ｃ１が形成されているが、これは図３（ａ）に示すように、弁体６１を弁座部５７に適切に当接させるためである。弁体６１を弁座部５７に当接させる際に、軸受け部６４がガイド面３４に当接したのでは、弁体６１を弁座部５７に強く圧接させることが困難となる虞があるが、前記隙間ｃ１は、そのような虞を解消するのに役立つ。
【００２８】
図４（ｂ）に示すように、操作部材３がアダプタ本体部５の前面部に沿ってスライドされ、軸受け部６４がガイド面３４の第２の端部３４ｂに対向する位置にある場合には、軸受け部６４および軸受け部６４は、同図左側方向へ最も前進した位置にある。このことにより、図３（ｂ）に示す通常の追焚き湯水の吐出可能状態が設定される。
【００２９】
図５によく表われているように、ガイド面３４の第１の端部３４ａの領域は、アダプタ本体部５の後方側へ窪んだ凹状部３５とされている。この凹状部３５の縁部３５ａから第２の端部３４ｂまでの領域のうち、縁部３５ａの近傍領域ＡＲ１、および第２の端部３４ｂの所定幅領域ＡＲ２は、非傾斜面とされているが、これらの間の領域ＡＲ３は、傾斜面３７とされている。
【００３０】
図６（ｂ）において、ガイド面３４は、厳密には、長孔３３を挟んで位置する第１および第２のガイド面３４Ａ，３４Ｂに区分されている。好ましくは、第１および第２のガイド面３４Ａ，３４Ｂのそれぞれの傾斜面３７の開始点Ｓａ，Ｓｂ（図５の符号Ｓで示す部分）は、ガイド面３４が延びる方向において互いに位置ずれしている。このような構成は、後述するように、軸受け部６４を積極的に回転させて軸受け部６４の偏摩耗を防止し得る効果をもたらせる。
【００３１】
操作部材３の一対の弾性変形可能部３１は、ガイド用凹部５３の内側壁面５３ａに対向する方向に弾性変形可能であり、適度な弾発力をもって内側壁面５３ａに接触するようになっている。内側壁面５３ａには、左右一対の係合用凸部５４が設けられており、かつ各弾性変形可能部３１には、それら一対の係合用凸部５４に係脱可能な左右一対の係合用凹部３６が設けられている。これら係合用凸部５４および係合用凹部３６は、図４（ａ），（ｂ）に示したように、軸受け部６４がガイド面３４の第１および第２の端部３４ａ，３４ｂのそれぞれに対応する箇所に相対移動したときに、互いに係合し、操作部材３の位置決め保持を図るための部位である。
【００３２】
好ましくは、図７のVII部拡大図に示すように、係合用凸部５４の２つの傾斜面５４ａ，５４ｂの傾斜角（法線に対する傾斜角）θ１，θ２は、θ１＞θ２の関係とされている
。係合用凹部３６は、前記構成に対応した形状とされている。このような構成によれば、操作部材３をガイド用凹部５３の中央寄り部分から端部側に移動させる際に、弾性変形可能部３１は傾斜面５４ａを円滑に乗り越える一方、係合用凸部５４と係合用凹部３６とが互いに係合した際には、傾斜面５４ｂの傾斜がきついことに基づき、前記係合状態が弱い力で不用意に解除しないようにすることができる。
【００３３】
次に、前記した循環アダプタＡの作用について説明する。
【００３４】
まず、図５に示したように、ガイド面３４の第１の端部３４ａの領域には凹状部３５が設けられているために、ガイド面３４の第１の端部３４ａと第２の端部３４ｂとのトータルの高低差Ｌ３を大きくとることが可能である。この高低差Ｌ３としては、既述した隙間ｃ１の寸法Ｌ１に加え、弁体６１，６２に弁開閉動作を生じさせるためのストロークに対応する寸法Ｌ２も必要である。ここで、前記ストロークに対応する寸法Ｌ２は、傾斜面３７によって稼がれているが、この傾斜面３７の傾斜角α１は、凹状部３５を設けない場合よりも小さくすることが可能である。すなわち、図５の仮想線Ｌａは、凹状部３５を設けることなく、ガイド面３４の全体を傾斜面とした場合を示すが、これと比較して、本実施形態の傾斜面３７は、その傾斜角α１を小さくすることが可能である。したがって、軸受け部６４が第１の端部３４ａ側から第２の端部３４ｂ側に相対移動するように操作部材３を移動させる際の操作が軽くなり、円滑となる。
【００３５】
図６（ｂ）を参照して説明したように、第１および第２のガイド面３４Ａ，３４Ｂのそれぞれの傾斜面３７の開始点Ｓａ，Ｓｂは、互いに位置ずれしているために、軸受け部６４がこの領域を通過して開始点Ｓａ，Ｓｂに順次当たることによって、軸受け部６４を弁軸６３周りに回転（自転）させることが可能である。軸受け部６４が非回転であると、操作部材３が多数回にわたって繰り返し操作された場合に、軸受け部６４の先端部に偏摩耗が生じ、この偏摩耗に起因して弁軸６３および弁体６１，６２の動作精度が悪化する虞がある。これに対し、本実施形態によれば、そのような虞も適切に防止することが可能となる。
【００３６】
その他、本実施形態によれば、軸受け部６４がガイド面３４の第１および第２の端部３４ａ，３４ｂのそれぞれに対応する箇所に相対移動したときには、係合用凸部５４と係合用凹部３６とが係合し、操作部材３の位置決め保持を適切に図ることができる。したがって、操作部材３が不用意に動く虞をなくす上で好ましいものとなる。係合用凹部３６が設けられる弾性変形可能部３１は、操作部材３に設けられているが、このように操作部材３に弾性変形可能部３１を設ける構造によれば、たとえば弾性変形可能部３１と同様な部位をアダプタ本体部５側に設ける場合と比較して、その製造は容易であり、製造コストを廉価にすることが可能である。
【００３７】
図８は、本発明の他の実施形態を示している。同図において、前記実施形態と同一または類似の要素には、前記実施形態と同一の符号を付している。
【００３８】
図８（ａ）においては、ガイド面３４の傾斜面３７は、曲面状とされており、第２の端部３４ｂ寄り領域の傾斜角α２は、第１の端部３４ａ寄り領域の傾斜角α３よりも小さくされている。
図８（ｂ）においては、傾斜面３７のうち、第１の端部寄り領域３７ａと、第２の端部寄り領域３７ｂとは平面状とされ、かつそれらの中間領域３７ｃは２つの領域３７ａ，３７ｂを滑らかに繋ぐ曲面状とされている。第２の端部寄り領域３７ｂの傾斜角α４は、第１の端部寄り領域３７ａの傾斜角α５よりも、やはり小さくされている。
【００３９】
軸受け部６４をガイド面３４の第１の端部３４ａ側から第２の端部３４ｂ側に相対移動
させる場合には、図３に示したバネ６６が圧縮されていくため、バネ６６の力Ｆは徐々に強くなっていく。このため、本来的には、軸受け部６４が第２の端部３４ｂに接近するほど、操作部材３を操作が重くなっていく。これに対し、図８（ａ），（ｂ）に示した構成によれば、軸受け部６４が第２の端部３４ｂ寄りに進んだときに操作部材３の操作が重くなる現象を緩和し、より好ましい操作性を得ることができる。
【００４０】
本発明は、上述した実施形態の内容に限定されない。本発明に係る気泡発生機能付き循環アダプタの各部の具体的な構成は、本発明の意図する範囲内において種々に設計変更自在である。
【００４１】
気泡湯水流出路は、気泡を含む噴出水流を浴槽内に噴出させ得る湯水流路であり、気泡を含む噴出水流を生成するための具体的な構成は限定されない。追焚き湯水流出路は、通常の風呂追い焚き用の加熱湯水を浴槽内に流出させ得る湯水流路である。これら気泡湯水流出路および追焚き湯水流出路の具体的な配置などは問わない。これに応じて、湯水流路切替え機構の弁体や弁軸の配置も適宜に設計変更可能である。
軸受け部は、弁軸とは別体で形成し、回転可能な状態に弁軸に設けることが好ましいものの、やはりこれに限定されない。軸受け部は、操作部材のガイド面に沿って弁軸および弁体を変位させるためのカムフォロァ的な役割を果たすものであればよいため、この軸受け部を弁軸と一体的に設けた構成することも可能である。
【００４２】
操作部材は、円弧状のガイド用凹部に沿って円弧状軌跡でスライド可能なものに限らず、直線状軌跡でスライド可能な構成とすることも可能である。操作部材に設けられるガイド面の具体的な傾斜角度などは限定されない。また、操作部材に弾性変形可能部を設けない構成とすることも可能である。
本発明に係る気泡発生機能付きの循環アダプタは、浴槽の側壁部に代えて、浴槽の底壁部に取り付けて使用することもできる。
【符号の説明】
【００４３】
Ａ  気泡発生機能付きの循環アダプタ
Ｂ  湯水流路切替え機構
１  浴槽
１０  側壁部
３  操作部材
３１  弾性変形可能部
３３  長孔
３４  ガイド面
３４Ａ，３４Ｂ  第１および第２のガイド面
３４ａ，３４ｂ  第１および第２の端部（ガイド面の）
３５  凹状部
３６  係合用凹部
３７  傾斜面
５  アダプタ本体部
５３  ガイド用凹部
５４  係合用凸部
６１，６２  弁体
６３  弁軸
６４  軸受け部
６６  バネ
７１  追焚き湯水流出路
７２  気泡湯水流出路
【図１】
0006376515.tif 000002
【図２】
0006376515.tif 000003
【図３】
0006376515.tif 000004
【図４】
0006376515.tif 000005
【図５】
0006376515.tif 000006
【図６】
0006376515.tif 000007
【図７】
0006376515.tif 000008
【図８】
0006376515.tif 000009
【図９】
0006376515.tif 000010